(57)【要約】【課題】省電力を実現すると共に、電力供給の遮断に利用される開閉部品の耐用期間をより長く確保すること。【解決手段】電源変換部２０２が生成した切り替え電源がオフに切り替えられ、オフ時電源からの電力が供給されている状態で、監視部２１４はオフ時電源を監視する。この監視の結果、蓄電源部２０４への充電が必要であると判断されると、リレー制御部２１３はリレー２０１を閉として切り替え電源がオンとなり蓄電源部２０４への充電が開始する。このとき例えば信号受信部２１１，信号識別部２１２を介して切り替え電源をオフすることが要求されると、状態管理部２２２が時刻取得部２２１及び記憶部５２から得た情報が所定条件を満たす場合には、状態管理部２２２は通信部２２３，２１５を介してリレー制御部２１３がリレー２０１の接点を閉としたままとなるように制御する。【選択図】  図２
2011215954.tif 000002
【特許請求の範囲】
【請求項１】
電力の供給のオン／オフを切り替え可能な第１の電源と、
前記第１の電源の電力の供給のオン／オフを切り替える制御手段と、
前記制御手段が前記第１の電源の電力の供給をオンに切り替えているときに前記第１の電源の電力を充電され、前記制御手段が前記第１の電源の電力の供給をオフに切り替えているときに前記充電された電力を供給する第２の電源と、
を具備し、
前記制御手段は、前記第１の電源の電力の供給を所定要因によりオンし、当該供給のオンに基づく時間から前記第１の電源の電力の供給をオフするように要求されるまでの経過時間が所定時間よりも短い場合、前記第１の電源の電力の供給のオンを継続することを特徴とする電源制御装置。
【請求項２】
前記制御手段が前記第１の電源の電力の供給をオフに切り替えているときに、前記第２の電源の電力で動作すると共に、当該第２の電源の状態を監視すると共に前記第２の電源からの電力量を判断する監視手段、
をさらに具備し、
前記制御手段は、前記所定要因として、前記監視手段による監視の結果、前記第２の電源の電力量が所定量よりも低下していると判断された場合、前記第１の電源の電力の供給をオンに切り替えるように制御することを特徴とする請求項１記載の電源制御装置。
【請求項３】
前記所定時間は、前記制御手段が前記第１の電源の電力の供給を所定要因によりオンした場合の、当該供給のオンに基づく時間から、前記第２の電源の電力が第２の所定量を超えるまでの時間であることを特徴とする請求項１記載の電源制御装置。
【請求項４】
前記制御手段は、前記第１の電源の電力の供給をオフに切り替えてから前記第１の電源の電力の供給を所定要因によりオンするまでの時間が第２の所定時間よりも短いことが所定回数あってから後に、前記第１の電源の電力の供給の所定要因によるオンに基づく時間からの計測を開始することを特徴とする請求項１記載の電源制御装置。
【請求項５】
前記制御手段は、前記第１の電源の電力の供給をオフに切り替えてから前記第１の電源の電力の供給を所定要因によりオンするまでの時間が第２の所定時間よりも短いことが、第３の所定時間以内に所定回数あってから後に、前記第１の電源の電力の供給の所定要因によるオンに基づく時間からの計測を開始することを特徴とする請求項１記載の電源制御装置。
【請求項６】
電力の供給のオン／オフを切り替え可能な第１の電源と、
前記第１の電源の電力の供給がオンのときに前記第１の電源の電力を充電され、前記第１の電源の電力の供給をオフのときに前記充電された電力を供給する第２の電源と、
を備える電源制御装置で実行される電源制御方法であって、
前記第１の電源の電力の供給のオン／オフを切り替え、
前記第１の電源の電力の供給を所定要因によりオンし、当該供給のオンに基づく時間から前記第１の電源の電力の供給をオフするように要求されるまでの経過時間が所定時間よりも短い場合、前記第１の電源の電力の供給のオンを継続することを特徴とする電源制御方法。
【発明の詳細な説明】
【技術分野】
【０００１】
本発明の実施形態は、消費電力低減のために電源からの電力の供給を制御する電源制御装置及び電源制御方法に関する。
【背景技術】
【０００２】
近年、機器のほぼ全ての機能部が動作する動作状態と限定的な機能部のみが動作する待機状態とを有する電子機器が普及している。動作状態では動作する機能部へ電力が供給され、待機状態では動作しない機能部へは電力が供給されないように制御されることが一般的である。また電力が供給されるか否かは、電力の供給径路に配置されたリレーの接点がオン又はオフに切り替えられることで制御されることが多い。
【０００３】
例えば特許文献１によれば、通常動作時に充電したコンデンサを待機状態での電源として利用する手法が公開されている。この手法では、待機状態でコンデンサの端子電圧が低下すると、主動作部へ供給される電源を遮断していたリレーの接点が戻りコンデンサを充電することで、省待機電力を行っていた。
【０００４】
接点の開閉に関して機械的な切り替え構造を有するリレーにおいては、切り替え動作の耐用回数が有限であることが一般的である。すなわち、機器の動作状態と待機状態とを切り替えるために利用されるリレー接点の開閉切り替え動作の耐用回数を考慮した制御手法が求められている。
【０００５】
特許文献２によれば、メカニカルリレーと共に半導体リレーを備えることで、メカニカルリレーの寿命を考慮した構成が公開されている。
【先行技術文献】
【特許文献】
【０００６】
【特許文献１】特開２００４−２７４８９７号公報  （図１  段落００１２）
【特許文献２】特開２００９−０１５６４９号公報  （図５  段落００２５）
【発明の概要】
【発明が解決しようとする課題】
【０００７】
しかし特許文献１では、待機状態での電源となるコンデンサの端子電圧が短時間で低下すると、リレーの接点の切断と接続とが短時間の間で頻繁に発生してしまうことがあった。従ってこの手法は、リレーの接点の開閉切り替え動作の回数が短期間の間に耐用回数に至り、電力供給の遮断に利用される開閉部品の耐用期間をより長く確保することはできなかった。
【０００８】
また特許文献２では、メカニカルリレー及び半導体リレーが、省電力モードでは動作しないブロックへ電力を供給する径路に備えられていた。つまり特許文献２の手法は、省電力モード時で動作する機能ブロックが商用電源からの電力を定常的に受けていた。従って、この手法がいかにメカニカルリレーの寿命を考慮した構成であったとしても、消費電力をより低減することは困難であった。
【０００９】
すなわち従来では、省電力を実現すると共に、電力供給の遮断に利用される開閉部品の耐用期間をより長く確保することはできなかった。
そこで本発明の実施形態は上述した課題を解決するために、省電力を実現すると共に、電力供給の遮断に利用される開閉部品の耐用期間をより長く確保することができる電源制御装置及び電源制御方法を提供することを目的とする。
【課題を解決するための手段】
【００１０】
本発明の実施形態によれば、電力の供給のオン／オフを切り替え可能な第１の電源と、前記第１の電源の電力の供給のオン／オフを切り替える制御手段と、前記制御手段が前記第１の電源の電力の供給をオンに切り替えているときに前記第１の電源の電力を充電され、前記制御手段が前記第１の電源の電力の供給をオフに切り替えているときに前記充電された電力を供給する第２の電源と、を具備し、前記制御手段は、前記第１の電源の電力の供給を所定要因によりオンし、当該供給のオンに基づく時間から前記第１の電源の電力の供給をオフするように要求されるまでの経過時間が所定時間よりも短い場合、前記第１の電源の電力の供給のオンを継続することを特徴とする電源制御装置を提供する。
【００１１】
また本発明の実施形態によれば、電力の供給のオン／オフを切り替え可能な第１の電源と、前記第１の電源の電力の供給がオンのときに前記第１の電源の電力を充電され、前記第１の電源の電力の供給をオフのときに前記充電された電力を供給する第２の電源と、を備える電源制御装置で実行される電源制御方法であって、前記第１の電源の電力の供給のオン／オフを切り替え、前記第１の電源の電力の供給を所定要因によりオンし、当該供給のオンに基づく時間から前記第１の電源の電力の供給をオフするように要求されるまでの経過時間が所定時間よりも短い場合、前記第１の電源の電力の供給のオンを継続することを特徴とする電源制御方法を提供する。
【発明の効果】
【００１２】
本発明の実施形態によれば、省電力を実現すると共に、電力供給の遮断に利用される開閉部品の耐用期間をより長く確保することができる電源制御装置及び電源制御方法を提供することができる。
【図面の簡単な説明】
【００１３】
【図１】本発明の実施形態に係る電源制御装置であるテレビジョン受像機の構成を示すブロック図。
【図２】本実施形態に係る電源制御処理を実行する各ブロックによるシステム構成図。
【図３】切り替え電源がオンに切り替わった後に実行される、電源制御処理の一部の動作を説明するためのフローチャート。
【図４】切り替え電源がオフに切り替わる前に実行される、電源制御処理の一部の動作を説明するためのフローチャート。
【図５】図３，４に示したフローチャートに従った動作が具体的に実行されている様子を説明するためのタイムチャート。
【図６】切り替え電源がオンに切り替わった後に実行される、電源制御処理の一部の動作の変形例を説明するためのフローチャート。
【発明を実施するための形態】
【００１４】
以下、本発明における実施形態について図面を用いて説明する。
図１は、本発明の実施形態に係る電源制御装置であるテレビジョン受像機１０の構成を示すブロック図である。この電源制御装置としてのテレビジョン受像機１０は、テレビジョン受像機１０自身に備えられる複数のブロックに対する電源の供給のオン／オフに関する制御を実行する。
【００１５】
本実施形態に係るテレビジョン受像機１０は、放送波処理部２０、外部機器ＩＦ部２１、操作部３１、信号処理制御部４０、表示器５１、スピーカ５２、記憶部６１、電源部１００、電源制御部１１０などで構成されている。放送波処理部２０にはアンテナ９８が接続されている。電源部１００は宅内コンセントなどに接続されるプラグ９７と接続される。電源制御部１１０は操作機器９９と情報のやりとりを行う。この操作機器９９は、例えば赤外線によるリモートコントローラや無線通信機器といった遠隔操作を行うための機器である。操作機器９９は、テレビジョン受像機１０の電源のオン／オフを切り替えるための電源キー（不図示）を備えている。
【００１６】
このテレビジョン受像機１０は、プラグ９７を介して宅内コンセントなどから供給される外部電源を受ける。テレビジョン受像機１０は、テレビジョン受像機１０自身に備えられる複数のブロックの電源となるように、外部電源に所定の変換処理を施して複数の電源を生成する。生成された複数の電源には、例えばテレビジョン受像機１０の利用者の操作によって供給のオン／オフを切り替えられるものがある。これ以降の説明では、電源部１００が生成した複数の電源のうち供給のオン／オフを切り替えられる電源を、切り替え電源と称する。また生成された複数の電源のうち、テレビジョン受像機１０の電源がオフの状態で特定のブロックへ供給される電源を、これ以降の説明では、オフ時電源と称する。
【００１７】
後に詳述するが、電源部１００は、切り替え電源の供給のオン／オフを切り替えるために、電力の供給径路を開閉する開閉部品であるリレーを利用する。このリレーの開閉切り替え動作の耐用回数は有限であることが一般的である。すなわち、切り替え電源のオン／オフの切り替えが頻繁に行われると、リレーの開閉切り替え回数は短期間で所定の耐用回数に至ることになる。このため本実施形態では、特にテレビジョン受像機１０の電源がオフの状態から、切り替え電源が頻繁に切り替わることを回避する制御を実現する。
【００１８】
電源部１００は、プラグ９７を介して供給された外部電源に所定の変換処理を施して、切り替え電源及びオフ時電源を含む複数の電源を生成する。この電源部１００は、電源制御部１１０による制御に基づいて、前述した切り替え電源の供給のオン／オフを切り替える電源切り替え処理を実行する。そして電源部１００によって生成された切り替え電源が信号処理制御部４０を含む複数のブロックへ供給される。また電源部１００によって生成されたオフ時電源が電源制御部１１０へ供給される。
【００１９】
電源制御部１１０は、操作機器９９から入力された信号に応じた操作情報を信号処理制御部４０へ出力する。また電源制御部１１０は、電源部１００による電源切り替え処理に関する情報を信号処理制御部４０との間で送受信する。電源制御部１１０は、操作機器９９から入力された信号及び、信号処理制御部４０から受信した情報に基づいて、電源部１００が電源切り替え処理を実行するための制御情報を電源部１００へ出力する。この電源制御部１１０は、電源部１００が生成した複数の電源のうちオフ時電源からの電力で動作する。さらに電源制御部１１０は、電源部１００から供給されるオフ時電源の状態を監視する。
【００２０】
このようにして、外部電源を受けた電源部１００は、切り替え電源及びオフ時電源を含む複数の電源を生成する。このオフ時電源からの電力で動作する電源制御部１１０は、電源部１００を制御して切り替え電源の供給のオン／オフを制御する。また電源制御部１１０は、電源制御部１１０自身の電源であるオフ時電源の状態を監視する。すなわち、本発明の実施形態の特徴である、電源制御部１１０が監視したオフ時電源の状態に応じて、電源部１００による切り替え電源の供給のオン／オフが制御される動作が実行される。
【００２１】
これ以降で説明するほとんどのブロックは、電源部１００が生成した複数の電源のうち切り替え電源からの電力で動作する。
放送波処理部２０は、アンテナ９８によって受信された地上または衛星によるデジタル放送波やアナログ放送波に対応するチューナおよび復調器を有する。この放送波処理部２０は、アンテナ９８が受信した受信信号を受け、この受信信号に対して特定チャンネルに対する選局処理及び復調処理などを施す。そして放送波処理部２０は、これらの処理を施すことで得られた、番組の映像音声情報などの情報が含まれるトランスポートストリーム信号（以下、ＴＳ信号と称する）を信号処理制御部４０へ出力する。
【００２２】
外部機器ＩＦ部２１は、ＨＤＭＩ（登録商標）規格、ＵＳＢ規格又はＩＥＥＥ１３９４規格などの様々な規格に基づいて情報を抽出する情報抽出部を有する。この外部機器ＩＦ部２１は、これらの規格に準じた接続端子を介して接続された外部機器や、外部ＨＤＤ、メモリカードなどの記録媒体から受けた情報から抽出したＴＳ信号を信号処理制御部４０へ出力する。接続された外部機器や記憶媒体からの情報には、コンテンツの映像音声情報などの情報が含まれる。また外部機器ＩＦ部２１は、接続された外部機器からアナログの映像音声信号を入力されることがある。この外部機器ＩＦ部２１は、入力されたアナログの映像音声信号をＡ／Ｄ変換し、変換したデジタルの映像音声信号を信号処置制御部４０へ出力する。
【００２３】
操作部３１は操作キーを有し、この操作キーに応じた操作情報を信号処理制御部４０へ出力する。この操作部３１は、テレビジョン受像機１０の電源をオン／オフするための電源キー（不図示）を含む複数の操作キーを有する。
【００２４】
信号処理制御部４０は、信号処理制御部４０自身に備えられた各ブロックや信号処理制御部４０に接続された各ブロックを利用して複数の処理を実行する。例えば信号処理制御部４０は、操作部３１又は電源制御部１１０を介した操作機器９９から、電源のオン／オフをすることを示す操作情報を受けると、電源のオン／オフに伴う情報の記憶や読み出しを記憶部６１に対して行う。また信号処理制御部４０は、選択した入力ソースから入力されたＴＳ信号に対して所定の処理を施して、表示器５１へ映像信号を出力すると共にスピーカ５２へ音声信号を出力する。
【００２５】
本実施形態では、この信号処理制御部４０は、電源部１００から供給される切り替え電源で動作する。信号処理制御部４０は、切り替え電源の供給をオフに切り替えるための情報を電源制御部１１０から受けた場合、所定の処理を実行する。例えばこの処理は、記憶すべき情報を記憶部６１へ記憶させる処理、及び、切り替え電源の供給をオフに切り替えることを許可することを示す情報を電源制御部１１０に送信する処理である。さらに信号処理制御部４０は、切り替え電源の供給がオフからオンに切り替わることにより起動した場合に所定の処理を実行する。例えばこの処理は、起動のトリガとなった条件を電源制御部１１０に確認する処理である。
【００２６】
表示器５１は、信号処理制御部４０から入力された映像信号を表示する表示パネルを含む表示モジュールである。表示器５１には、例えばＬＣＤ（Liquid Crystal Display）やＰＤＰ（Plasma Display Panel）などの薄型平面ディスプレイを適用することができる。
【００２７】
スピーカ５２は、信号処理制御部４０から入力された音声信号を出力する。スピーカ５２として、左右チャンネル用に２つ、更には、入力された音声信号の低音域を出力するためのサブウーハが設けられてもよい。
【００２８】
記憶部６１は、電源の供給がされない場合でも情報を記憶することができる不揮発性メモリである。この記憶部６１は、信号処理制御部４０から要求された情報を記憶すると共に、記憶した情報を信号処理制御部４０から読み出される。本実施形態では記憶部６１は、例えば、特定の処理が実行された時刻を示す情報を記憶する。記憶部６１は、ＨＤＤ又はＳＳＤといったドライブ装置であってもよい。また記憶部６１がドライブ装置である場合、テレビジョン受像機１０の外部に接続されてもよい。
【００２９】
また前述した複数のブロックだけでなく、テレビジョン受像機１０は、ＬＡＮ又はＷＡＮなどのネットワークを介して通信を行う通信処理部を有するネットワーク通信機能を実現するブロック（不図示）を備えてもよい。このブロックは、接続したネットワーク先の特定サーバや記録媒体などの情報提供源からコンテンツの映像音声情報などの情報を受け、この情報に基づくＴＳ信号を信号処理制御部４０へ出力する。
【００３０】
さらにテレビジョン受像機１０は、光ディスクからの情報の読み出し又は光ディスクへの情報の書き込みを実行するＯＤＤ（Optical Disc Drive）（不図示）を備えてもよい。このＯＤＤは、光ディスクからコンテンツの映像音声情報などの情報を読み出し、この情報に基づくＴＳ信号を信号処理制御部４０へ出力する。
【００３１】
なお本実施形態は、本発明に係る構成を適用した電源制御装置として、テレビジョン受像機１０を例とした実施形態である。しかし本実施形態に係る構成が、パーソナルコンピュータ、携帯型移動端末装置、ＨＤＤ／光ディスクレコーダ、セットトップボックスなどの機器に適用された実施形態であっても構わない。さらには本発明に係る構成が、様々な電子機器に所定の電源を供給するための電源アダプタを含む電子機器に適用されてもよい。
【００３２】
このような構成により、本発明の実施形態に係るテレビジョン受像機１０に備えられた複数のブロックは、複数の処理を実行する。特に電源部１００は、電源制御部１１０による制御に基づいて、テレビジョン受像機１０のほぼ全てのブロックの電源となる切り替え電源の供給のオン／オフを切り替える。また電源制御部１１０は、電源部１００から供給されるオフ時電源の状態を監視する。すなわち本発明の実施形態に係るテレビジョン受像機１０は、オフ時電源の状態に応じて切り替え電源の供給のオン／オフを制御する電源制御処理を実行する。従って、テレビジョン受像機１０の電源がオフの状態から、切り替え電源が頻繁に切り替わることを回避することが可能となる。電源制御制御に関する複数の処理は、電源部１００が生成する複数の電源の供給に関して、主に電源制御部１１０と信号処理制御部４０とが複合的に実行する。
【００３３】
次に、図２を用いて、本実施形態において図１で説明した電源部１００、電源制御部１１０及び信号処理制御部４０に備えられ、電源制御処理を実行する各ブロックを説明する。
【００３４】
図２は、本実施形態に係る電源制御処理を実行する各ブロックによるシステム構成図である。
前述したとおりこの電源制御処理は、電源制御部１１０及び信号処理制御部４０が、オフ時電源の状態に応じて、電源部１００による切り替え電源の供給のオン／オフの切り替えを制御するものである。すなわち電源制御処理は、電源制御部１１０がオフ時電源の状態を監視した結果に基づいて実行される。
【００３５】
電源部１００は、リレー２０１、電源変換部２０２、充電制御部２０３、蓄電源部２０４を備えている。また電源制御部１１０は、信号受信部２１１、信号識別部２１２、リレー制御部２１３、監視部２１４、通信部２１５を備えている。さらに信号処理制御部４０は、時刻取得部２２１、状態管理部２２２、通信部２２３を備えている。
【００３６】
まず、電源部１００に備えられた各ブロックを詳細に説明する。
リレー２０１は、プラグ９７から電源変換部２０２の間の電源の供給経路を開閉するための接点を有する開閉部品である。リレー２０１は、電源制御部１１０に備えられたリレー制御部２１３から入力される制御信号に基づいて接点を開閉する。このリレー２０１は、電源の供給経路のうち、電源変換部２０２に対してプラグ９７に近い箇所に設けられることが好ましい。またリレー２０１の開閉切り替え動作の耐用回数は有限である。本実施形態に係る電源制御処理では、リレー２０１の開閉切り替え動作が頻繁に行われないように制御される。
【００３７】
電源変換部２０２は、リレー２０１の接点が閉じている場合に供給される外部電源に対して、ＡＣ／ＤＣ変換やＤＣ／ＤＣ変換といった電圧変換処理を施して所定電圧値の電源を生成する。この生成された所定電圧値の電源は、リレー２０１の接点の開閉により供給のオン／オフが切り替えられる切り替え電源である。そして電源変換部２０２は、生成した切り替え電源を、充電制御部２０３及び信号処理制御部４０を含むテレビジョン受像機１０の各ブロックへ供給する。
【００３８】
充電制御部２０３は、切り替え電源の供給がオンに切り替えられている場合、電源変換部２０２から供給された切り替え電源の電力を蓄電源部２０４に充電する充電処理を実行する。充電制御部２０３は、供給電源の供給がオフに切り替えられている場合、充電するための電力が供給されないので充電処理を実行しない。また充電制御部２０３は、切り替え電源の供給がオンに切り替えられていても蓄電源部２０４が所定量以上充電されている場合、充電処理の実行を停止する。
【００３９】
蓄電源部２０４は、切り替え電源の供給がオンに切り替えられている場合、充電制御部２０３が実行する充電処理により切り替え電源の電力を充電される充電電源である。この蓄電源部２０４は、切り替え電源の供給がオンの場合でも、所定量以上充電されると充電されなくなるので、切り替え電源を電源制御部１１０の各ブロックへ供給するように動作する。また蓄電源部２０４は、切り替え電源の供給がオフに切り替えられている場合、電源制御部１１０の各ブロックに対する電源となり、充電した電力を各ブロックへ放電する。蓄電源部２０４には、電気２重層コンデンサなどを適用することができる。
【００４０】
このようにして電源部１００は蓄電源部２０４を備えるが、切り替え電源の供給がオフの場合に、蓄電源部２０４が電源制御部１１０の各ブロックへ供給できる電力量は有限である。蓄電源部２０４の電力量が減った場合に、蓄電源部２０４が蓄える電力を増すためには、切り替え電源の供給をオンに切り替える必要がある。
【００４１】
次に、電源制御部１１０に備えられた各ブロックを説明する。
信号受信部２１１は、操作機器９９からテレビジョン受像機１０を操作するための情報を含む信号を受信し、受信した信号に所定の処理を施した情報を信号識別部２１２へ出力する。信号受信部２１１は、例えば操作機器９９が赤外線リモコンである場合、操作機器９９から送信される赤外線の信号を光電変換し、変換した情報を信号識別部２１２へ出力する。信号受信部２１１は、通信部２１５が信号処理制御部４０に備えられる通信部２２３から受信した、テレビジョン受像機１０の動作状態を示す情報が含まれる信号を操作機器９９へ送信してもよい。
【００４２】
信号識別部２１２は、信号受信部２１１から入力された情報を識別すると共に、必要に応じてリレー制御部２１３のリレー２０１に対する制御状態を参照する。制御状態は、リレー制御部２１３がリレー２０１の接点を閉又は開の何れに切り替わるように制御しているかを示す。そして信号識別部２１２は、この識別結果及び参照結果に対応する操作情報をリレー制御部２１３又は信号処理制御部４０へ出力する。操作情報のうち、リレー制御部２１３へ出力される情報は、リレー２０１に開閉切り替え動作を行わせるための切り替え情報となる。
【００４３】
リレー制御部２１３は、信号識別部２１２及び通信部２１５から入力される切り替え情報に基づいて、切り替え電源の供給のオン／オフを切り替えるための制御信号をリレー２０１へ出力する。またリレー制御部２１３は、信号識別部２１２からの参照に応じてリレー２０１に対する制御状態を応答する。さらにリレー制御部２１３は、監視部２１４から通知されたオフ時電源の監視結果に応じて、接点を閉（切り替え電源の供給をオン）に切り替えるための制御信号をリレー２０１へ出力する。リレー制御部２１３は出力した制御情報のトリガ及び制御状態を制御ステイタス情報として管理する。制御情報のトリガとは、何れのブロックからのどのような情報に基づいて制御情報を出力したかを示す情報である。制御ステイタス情報の出力を通信部２１５から要求された場合、リレー制御部２１３は通信部２１５へ制御ステイタス情報を出力する。
【００４４】
監視部２１４は、オフ時電源の状態を監視すると共に、この監視結果を示す情報をリレー制御部２１３へ通知する。この監視部２１４は、所定周波数のクロック信号を生成するブロック（不図示）からのクロック信号に基づいて所定周期で実際のオン／オフ状態を監視する。例えば監視部２１４は、オフ時電源の電圧値を監視し、監視している電圧値が所定値以下となったことを検出する。この監視は、オフ時電源の電圧値を、抵抗、ダイオード又はトランジスタ等を利用した電子回路を介してＡ／Ｄ変換したデジタル値を判定することで実現される。また監視部２１４による監視は、リレー制御部２１３が切り替え電源の供給をオフに切り替えるための制御信号をリレー２０１へ出力した時点から所定時間が経過してから開始することが好ましい。
【００４５】
通信部２１５は、信号処理制御部４０に備えられた通信部２２３との間で情報を送受信する。この通信部２１５は、切り替え電源の供給をオフに切り替えることを許可することを示す情報を受信した場合、この情報に対応する切り替え情報をリレー制御部２１３へ出力する。また通信部２１５は、制御ステイタス情報に関する情報の出力を通信部２２３から要求された場合、リレー制御部２１３に対して制御ステイタス情報の出力を要求する。さらに通信部２１５は、リレー制御部２１３から入力された制御ステイタス情報を通信部２２３へ送信する。
【００４６】
このようにして電源制御部１１０は、オフ時電源の状態を監視するので、蓄電源部２０４が供給できる電力量が減っていることを把握することができる。このとき電源制御部１１０は、切り替え電源の供給をオンに切り替えるように電源部１００を制御することで、蓄電源部２０４が供給できる電力量を増すことができる。例えば信号受信部２１１が操作機器９９としての赤外線リモコンからの信号を受光する形態の場合に、信号受信部２１１が太陽光を受けると不要な光電変換が行われて消費電流が増すことになる。このような状態では、蓄電源部２０４への充電のために、切り替え電源の供給のオン／オフが短時間の間に切り替えられる可能性があり、リレー２０１の開閉切り替え動作の回数が格段に増すことになる。そして、リレー２０１の開閉切り替え動作の回数が耐用回数に至る期間が短くなり、リレー２０１の耐用期間が短くなる。しかし、前述した電源制御部１１０と次に説明する信号処理制御部４０とによって実行される電源制御処理により、リレー２０１の耐用期間が短くなることを回避することが可能となる。
【００４７】
続いて、信号処理制御部４０に備えられた各ブロックを説明する。
時刻取得部２２１は、計時するブロック（不図示）から所定周期で現在時刻を示す情報を取得して、取得した情報を状態管理部２２２へ出力する。この計時するブロック（不図示）は、電波時計に関する信号を受信し、受信した信号に基づいて計時することで実現できる。また計時するブロック（不図示）は、放送波処理部２０から入力されるＴＳ信号から抽出されたＰＳＩ／ＳＩ情報に含まれる情報に基づいて計時してもよい。時刻取得部２２１は、状態管理部２２２か要求された場合に、現在時刻を示す情報を状態管理部２２２へ出力してもよい。
【００４８】
状態管理部２２２は、通信部２２３を介して電源制御部１１０のリレー制御部２１３が管理する制御ステイタス情報を取得する。また状態管理部２２２は、通信部２２３を介して切り替え電源の供給をオフに切り替えることを許可することを示す情報を出力する。さらに状態管理部２２２は、時刻取得部２２１から現在時刻を示す情報を取得する。また状態管理部２２２は、記憶部６１から特定のイベントを処理した時刻を示す情報を読み出すと共に、所定の処理を実行した時点の時刻を記憶部６１に記憶させる。この状態管理部２２２は、通信部２２３、時刻取得部２２１、及び記憶部６１から得た情報に基づいて、次に実行する処理を決定する。また状態管理部２２２は、各ブロックから得た情報に基づいて、切り替え電源の供給をオフにすることを回避すべき状態であるか否かを管理する。また状態管理部２２２は、通信部２２３を介して切り替え電源の供給をオフにすることを示す情報を受けた場合、記憶すべき情報を記憶部６１に記憶させる。
【００４９】
通信部２２３は、電源制御部１１０に備えられた通信部２１５及び信号識別部２１２との間で情報を送受信する。この通信部２２３は、信号識別部２１２からは、操作情報や切り替え電源の供給をオフにすることを示す情報などを受信する。また通信部２１５との間では、リレー制御部２１３が管理する制御ステイタス情報、切り替え電源の供給をオフに切り替えることを許可することを示す情報などを送受信する。通信部２２３は、通信部２１５及び信号識別部２１２から受信した情報のうち、特定の情報を状態管理部２２２へ出力する。また通信部２２３は、状態管理部２２２から要求された情報の出力を通信部２１５へ要求する。
【００５０】
このようなシステム構成により、電源制御部１１０及び信号処理制御部４０が、オフ時電源の状態に応じて、電源部１００による切り替え電源の供給のオン／オフの切り替えを制御する電源制御処理を実行する。この処理において信号処理制御部４０は、電源制御部１１０が管理する制御ステイタス情報に基づいて、切り替え電源がオンした後、及び、オフする前に所定の処理を行う。併せて信号処理制御部４０は、切り替え電源の供給をオフにすることを回避すべき状態であるか否かを管理する。従って本実施形態に係るテレビジョン受像機１０は、省電力を実現すると共に、電力供給の遮断に利用される開閉部品の耐用期間をより長く確保することが可能となる。
【００５１】
次に、図３を用いて、図２で説明した電源部１００、電源制御部１１０及び信号処理制御部４０に備えられる各ブロックによって、切り替え電源がオンに切り替わった後に実行される、電源制御処理の一部の動作を説明する。
【００５２】
図３は、切り替え電源がオンに切り替わった後に実行される、電源制御処理の一部の動作を説明するためのフローチャートである。
この動作は、切り替え電源がオンに切り替わったことで信号処理制御部４０が起動した場合に実行される。
まず信号処理制御部４０に備えられる状態管理部２２２は、通信部２２３を介して電源制御部１１０に備えられるリレー制御部２１３が管理する制御ステイタス情報を取得する（Ｓ３０１）。状態管理部２２２は、取得した制御ステイタス情報に基づいて、制御情報を出力したトリガを判定する（Ｓ３０２）。このトリガには、操作部３１が備える電源キー（不図示）に応じた切り替え電源のオン、操作機器９９が備える電源キー（不図示）に応じた切り替え電源のオン、監視部２１４の監視結果に応じた切り替え電源のオン、を含む複数のトリガが定義される。
【００５３】
トリガの判定結果が、監視部２１４の監視結果に応じた切り替え電源のオン、ではない場合（Ｓ３０２のＮｏ）、処理は終了する。一方トリガの判定結果が、監視部２１４の監視結果に応じた切り替え電源のオン、であった場合（Ｓ３０２のＹｅｓ）、状態管理部２２２は時刻取得部２２１から現在時刻を示す情報を取得する（Ｓ３０３）。ここで、取得された現在時刻を（Ａ）と定義する。また状態管理部２２２は、記憶部６１から直前のリレーオフ実行時刻を読み出す（Ｓ３０４）。例えばリレーオフ実行時刻は、状態管理部２２２が切り替え電源の供給をオフに切り替えることを許可することを示す情報を通信部２２３に出力した時刻である。ここで、読み出された直前のリレーオフ実行時刻を（Ｂ）と定義する。さらに状態管理部２２２は、取得した現在時刻（Ａ）と読み出した直前のリレーオフ実行時刻（Ｂ）との時間差であるリレーオフ時間（Ａ−Ｂ）を計算して、所定時間Ｔｏｆｆと比較する（Ｓ３０５）。
【００５４】
リレーオフ時間（Ａ−Ｂ）と所定時間Ｔｏｆｆとの比較結果が、リレーオフ時間（Ａ−Ｂ）のほうが短くない場合（Ｓ３０５のＮｏ）、処理は終了する。一方、リレーオフ時間（Ａ−Ｂ）と所定時間Ｔｏｆｆとの比較結果が、リレーオフ時間（Ａ−Ｂ）のほうが短い場合（Ｓ３０５のＹｅｓ）、状態管理部２２２は、リレーオフ回避モードをオンとして状態管理する（Ｓ３０６）。リレーオフ回避モードは、切り替え電源の供給をオフにすることを回避すべき状態（モード）を示す。すなわち、リレーオフ回避モードがオンとして管理されると、切り替え電源の供給をオフにすることを回避すべき（オンにしておくべき）状態となる。また状態管理部２２２は、リレーオフ回避モードをオンとして状態管理し始めた時点で、この時点での時刻を示す情報を時刻取得部２２１から取得し、取得した情報を記憶部６１に格納する（Ｓ３０７）。そして処理は完了する。
【００５５】
すなわち、切り替え電源の供給がオンに切り替わったトリガが、監視部２１４の監視結果に応じたものである場合、且つ、リレーオフ時間が所定時間よりも短い場合、切り替え電源の供給をオンにしておくべき状態となる。換言すると、蓄電源部２０４の放電時間が所定時間よりも短い状態は、電源制御部１１０の消費電流が通常状態よりも増していると判断されるため、この時点では、蓄電源部２０４への電力の充電を継続する必要があると判断される。従って、本実施形態に係るテレビジョン受像機１０は、オフ時電源の電力を所定量以上に保つことができる。
【００５６】
次に、図４を用いて、図２で説明した電源部１００、電源制御部１１０及び信号処理制御部４０に備えられる各ブロックによって、切り替え電源がオフに切り替わる前に実行される、電源制御処理の一部の動作を説明する。
【００５７】
図４は、切り替え電源がオフに切り替わる前に実行される、電源制御処理の一部の動作を説明するためのフローチャートである。
この動作は、状態管理部２２２が、通信部２２３を介して切り替え電源の供給をオフにすることを示す情報を、電源制御部１１０から受けた後に行われる。
まず状態管理部２２２は、現在管理している状態が、リレーオフ回避モードがオンの状態であるか否かを判定する（Ｓ４０１）。状態が、リレーオフ回避モードがオンの状態でない場合（Ｓ４０１のＮｏ）、状態管理部２２２は、通信部２２３を介して切り替え電源の供給をオフに切り替えることを許可することを示す情報を出力する。この情報を通信部２１５を介して受けたリレー制御部２１３は、リレー２０１をオフ（切り替え電源の供給をオフ）する制御情報をリレー２０１へ出力する（Ｓ４０６）。
【００５８】
一方、管理している状態が、リレーオフ回避モードがオンの状態である場合（Ｓ４０１のＹｅｓ）、状態管理部２２２は時刻取得部２２１から現在時刻を示す情報を取得する（Ｓ４０２）。ここで、取得された現在時刻を（Ｘ）と定義する。また状態管理部２２２は、記憶部６１から、直前のリレーオフ回避モードをオンとして状態管理し始めた時刻を読み出す（Ｓ４０３）。ここで、読み出された直前のリレーオフ回避モード開始時刻を（Ｙ）と定義する。さらに状態管理部２２２は、取得した現在時刻（Ｘ）と読み出した直前のリレーオフ回避モード開始時刻（Ｙ）との時間差であるリレーオフ回避モードオン時間（Ｘ−Ｙ）を計算して、所定時間Ｔａｍと比較する（Ｓ４０４）。
【００５９】
リレーオフ回避モードオン時間（Ｘ−Ｙ）と所定時間Ｔａｍとの比較結果が、リレーオフ回避モードオン時間（Ｘ−Ｙ）のほうが長くない場合（Ｓ４０４のＮｏ）、処理は終了する。一方、リレーオフ回避モードオン時間（Ｘ−Ｙ）と所定時間Ｔａｍとの比較結果が、リレーオフ回避モードオン時間（Ｘ−Ｙ）のほうが長い場合（Ｓ４０４のＹｅｓ）、状態管理部２２２は、リレーオフ回避モードをオフとして状態管理する（Ｓ４０５）。また状態管理部２２２は、通信部２２３を介して切り替え電源の供給をオフに切り替えることを許可することを示す情報を出力する。そしてリレー制御部２１３は、リレー２０１をオフ（切り替え電源の供給をオフ）する制御情報をリレー２０１へ出力する（Ｓ４０６）。状態管理部２２２は、切り替え電源の供給をオフに切り替えることを許可することを示す情報を通信部２２３に出力した時点で、この時点での時刻を示す情報を時刻取得部２２１から取得し、取得した情報を記憶部６１に格納する（Ｓ４０７）。そして処理は完了する。
【００６０】
すなわち、信号処理制御部４０が切り替え電源の供給をオフにすることを要求された場合、電源制御状態が、切り替え電源の供給をオンにしておくべき（リレーオフ回避モードオン）状態として管理されていて、且つ、リレーオフ回避モードオン時間が所定時間よりも長い場合には、切り替え電源の供給のオンが維持される。換言すると、蓄電源部２０４に電力を充電する必要があると判断されている状態で、切り替え電源の供給のオフを要求された場合、蓄電源部２０４への充電時間が短いと充電が充分になされていないと判断され、切り替え電源の供給のオンが維持される。一方、蓄電源部２０４への充電時間が長ければ、充電が充分になされたと判断され、切り替え電源の供給をオフに切り替え可能な状態となる。
【００６１】
このような制御により、何らかの要因により電源制御部１１０の消費電流が増した場合でも、リレー２０１の接点の開閉切り替え動作が頻繁に行われることが回避されると共に、蓄電源部２０４の充電期間が確保され、さらに蓄電源部２０４の電力を所定量以上に維持することが可能となる。従って、本実施形態に係るテレビジョン受像機１０は、省電力を実現すると共に、電力供給の遮断に利用される開閉部品の耐用期間をより長く確保することが可能となる。
【００６２】
次に、図５を用いて、図３，４に示したフローチャートに従った動作が具体的に実行されている様子を説明する。
図５は、図３，４に示したフローチャートに従った動作が具体的に実行されている様子を説明するためのタイムチャートである。
時間Ｂ１の時点では、切り替え電源の供給をオフとするためにリレー２０１が開（オフ）となるので、リレーオフ実行時間（Ｂ１）が登録される。
時間Ａで、オフ時電源の電圧値が所定値以下となった（低下した）ことが検出されたことで、切り替え電源の供給がオン（リレー２０１が閉（オン））となり、リレーオフ時間（Ａ−Ｂ１）と所定時間Ｔｏｆｆとが比較される。リレーオフ時間（Ａ−Ｂ１）＜所定時間Ｔｏｆｆであるので、リレーオフ回避モードがオンとなる。すなわち、このときの時間Ａはリレーオフ回避モード開始時刻（Ｙ）となる。
【００６３】
時間Ｘ１で、切り替え電源の供給のオフ（リレー２０１の開（オフ））が要求される。このとき、リレーオフ回避モードがオンであり、リレーオフ回避モードオン時間（Ｘ１−Ｙ）＞所定時間Ｔａｍではないので、切り替え電源の供給のオンが維持される。
【００６４】
時間Ｘ２で、再び、切り替え電源の供給のオフ（リレー２０１の開（オフ））が要求される。このとき、リレーオフ回避モードがオンであり、リレーオフ回避モードオン時間（Ｘ１−Ｙ）＞所定時間Ｔａｍである。従って、リレーオフ回避モードがオフとなり、切り替え電源の供給がオフ（リレー２０１が開（オフ））となるように制御されると共に、リレーオフ実行時間（Ｂ２）が登録される。
【００６５】
このように、切り替え電源の供給のオフ（リレー２０１の開（オフ））が要求された場合でも、リレーオフ回避モードがオンであり、リレーオフ回避モードオン時間が所定時間Ｔａｍよりも長くなければ、切り替え電源の供給がオフとなるように制御されない。従って、リレー２０１の接点の開閉切り替え動作が頻繁に行われることが回避される。すなわち、本実施形態に係るテレビジョン受像機１０は、省電力を実現すると共に、電力供給の遮断に利用される開閉部品の耐用期間をより長く確保することが可能となる。
【００６６】
（変形例）
次に、図６を用いて、図３を用いて説明した、切り替え電源がオンに切り替わった後に実行される、電源制御処理の一部の動作の変形例を説明する。
図６は、切り替え電源がオンに切り替わった後に実行される、電源制御処理の一部の動作の変形例を説明するためのフローチャートである。
この動作は、図３に示したフローチャートに従った動作と同様に、切り替え電源がオンに切り替わったことで信号処理制御部４０が起動した場合に行われる。この動作の手順は、図３に示したフローチャートとほぼ同じである。しかし、リレーオフ時間（Ａ−Ｂ）と所定時間Ｔｏｆｆとの比較結果が、リレーオフ時間（Ａ−Ｂ）のほうが短い場合の回数をカウントし、このカウント数に応じて次に行う処理を分岐する点で異なる。従って、これ以降の説明では、この異なる点について詳述し、ほぼ同じ動作に関しては説明を簡略化又は省略する。
【００６７】
状態管理部２２２は、制御ステイタス情報を取得し（Ｓ６０１）、取得した制御ステイタス情報に基づいて、制御情報を出力したトリガを判定する（Ｓ６０２）。トリガの判定結果が、監視部２１４の監視結果に応じた切り替え電源のオン、ではない場合（Ｓ６０２のＮｏ）、処理は終了する。一方トリガの判定結果が、監視部２１４の監視結果に応じた切り替え電源のオン、であった場合（Ｓ６０２のＹｅｓ）、状態管理部２２２は現在時刻を示す情報を取得し（Ｓ６０３）、記憶部６１から直前のリレーオフ実行時刻を読み出す（Ｓ６０４）。さらに状態管理部２２２は、リレーオフ時間（Ａ−Ｂ）を計算して所定時間Ｔｏｆｆと比較する（Ｓ６０５）。
【００６８】
リレーオフ時間（Ａ−Ｂ）が所定時間Ｔｏｆｆより短くない場合（Ｓ６０５のＮｏ）、処理は終了する。一方、リレーオフ時間（Ａ−Ｂ）が所定時間Ｔｏｆｆより短い場合（Ｓ６０５のＹｅｓ）、状態管理部２２２は、カウンタ値を１つ加算し（Ｓ６０６）、加算後のカウンタ値が所定値以上か否かを判定する（Ｓ６０７）。加算後のカウンタ値が所定値以上でない場合（Ｓ６０７のＮｏ）、処理は終了する。一方、加算後のカウンタ値が所定値以上である場合（Ｓ６０７のＹｅｓ）、状態管理部２２２は、リレーオフ回避モードをオンとして状態管理する（Ｓ６０８）。また状態管理部２２２は、リレーオフ回避モードをオンとして状態管理し始めた時点での時刻を示す情報を取得し、取得した情報を記憶部６１に格納する（Ｓ６０９）。そして処理は完了する。
【００６９】
このような制御により、蓄電源部２０４の放電時間が所定時間よりも短い状態が所定回数カウントされた場合に、蓄電源部２０４への電力の充電を継続する必要があると判断される。すなわち、何らかの要因により電源制御部１１０の消費電流が増している状態が所定回数検出された場合に、リレー２０１の接点の開閉切り替え動作が頻繁に行われることが回避されるようになる。これは、電源制御部１１０の消費電流が増している状態が継続している場合に、蓄電源部２０４への電力の充電を継続する必要があると判断されることを意味している。
【００７０】
なお、リレーオフ時間（Ａ−Ｂ）が所定時間Ｔｏｆｆより短いことが、一定の時間内に所定回数検出されたか否かが判定される実施形態であってもよい。この実施形態によれば、リレーオフ時間（Ａ−Ｂ）が所定時間Ｔｏｆｆより短いことが、一定の時間内に所定回数検出されなかった場合には、計測していたカウンタ値をクリアすることができる。これは、電源制御部１１０の消費電流が増している状態が途切れ途切れに発生している場合は、蓄電源部２０４への電力の充電を継続する必要性はあまりないと判断されることを意味している。換言すると、リレーオフ時間（Ａ−Ｂ）が所定時間Ｔｏｆｆより短いことが、一定の時間内に所定回数検出された場合に、蓄電源部２０４への電力の充電を継続する必要があると判断されることを意味している。
【００７１】
従って、このような様々な実施形態においても、本実施形態に係るテレビジョン受像機１０は、オフ時電源の電力を所定量以上に保つと共に、省電力を実現し、電力供給の遮断に利用される開閉部品の耐用期間をより長く確保することが可能となる。
【００７２】
以上説明したように本実施形態によれば、本実施形態に係るテレビジョン受像機１０は、切り替え電源がオンに切り替わった場合に、切り替え電源をオンに切り替える制御情報を出力したトリガ、及び、リレーオフ時間を判定する。そしてテレビジョン受像機１０は、この判定結果に応じて電源制御状態を管理する。またテレビジョン受像機１０は、切り替え電源の供給のオフを要求された場合、現在の電源制御状態、及び、特定の電源制御状態となっている時間を判定し、この判定結果に応じて、切り替え電源の供給をオフするか否かを判定する。すなわち本実施形態に係るテレビジョン受像機１０は、電源制御部１１０の消費電流が増した場合でも、リレー２０１の接点の開閉切り替え動作が頻繁に行われることを回避すると共に、蓄電源部２０４の充電期間を確保し、さらに蓄電源部２０４の電力を所定量以上に維持することが可能となる。従って、本実施形態に係るテレビジョン受像機１０は、省電力を実現すると共に、電力供給の遮断に利用される開閉部品の耐用期間をより長く確保することが可能となる。
【００７３】
なお本発明は、前述した実施形態に限定されるものではなく、本発明の要旨を変えない範囲において、種々の変更、改変等が可能である。また、前述した実施形態に開示されている複数の構成要素を適宜に組み合わせることにより、種々の発明を形成することができる。例えば、実施形態に示される全構成要素から幾つかの構成要素を削除してもよく、さらに、異なる実施形態に係る構成要素を適宜組み合わせても良い。
【符号の説明】
【００７４】
１０…テレビジョン受像機、２０…放送波処理部、２１…外部機器ＩＦ部、３１…操作部、４０…信号処理制御部、５１…表示器、５２…スピーカ、６１…記憶部、１００…電源部、１１０…電源制御部、９７…プラグ、９８…アンテナ、９９…操作機器、２０１…リレー、２０２…電源変換部、２０３…充電制御部、２０４…蓄電源部、２１１…信号受信部、２１２…信号識別部、２１３…リレー制御部、２１４…監視部、２１５…通信部、２２１…時刻取得部、２２２…状態管理部、２２３…通信部。
【図１】
2011215954.tif 000003
【図２】
2011215954.tif 000004
【図３】
2011215954.tif 000005
【図４】
2011215954.tif 000006
【図５】
2011215954.tif 000007
【図６】
2011215954.tif 000008
【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
電力の供給のオン／オフを切り替え可能な第１の電源と、
前記第１の電源の電力の供給のオン／オフを切り替える制御手段と、
前記制御手段が前記第１の電源の電力の供給をオンに切り替えているときに前記第１の電源の電力を充電され、前記制御手段が前記第１の電源の電力の供給をオフに切り替えているときに前記充電された電力を供給する第２の電源と、
前記制御手段が前記第１の電源の電力の供給をオフに切り替えているときに、前記第２の電源の電力で動作すると共に、当該第２の電源の状態を監視すると共に前記第２の電源からの電力量を判断する監視手段と、を具備し、
前記制御手段は、前記所定要因として、前記監視手段による監視の結果、前記第２の電源の電力量が所定量よりも低下していると判断された場合、前記第１の電源の電力の供給をオンに切り替えるように制御し、
また、前記制御手段は、前記第１の電源の電力の供給を所定要因によりオンし、当該供給のオンに基づく時間から前記第１の電源の電力の供給をオフするように要求されるまでの経過時間が第１の所定時間よりも短い場合、前記第１の電源の電力の供給のオンを継続し、
さらに、前記制御手段は、前記第１の電源の電力の供給を所定要因によりオフし、当該供給のオフに基づく時間から前記第１の電源の電力の供給をオンするように要求されるまでの経過時間が第２の所定時間よりも短い場合、前記第１の電源の電力の供給のオフを継続する、
ことを特徴とする電源制御装置。
【請求項２】
前記第１の所定時間は、前記制御手段が前記第１の電源の電力の供給を所定要因によりオンした場合の、当該供給のオンに基づく時間から、前記第２の電源の電力が第２の所定量を超えるまでの時間であることを特徴とする請求項１記載の電源制御装置。
【請求項３】
前記制御手段は、前記第１の電源の電力の供給をオフに切り替えてから前記第１の電源の電力の供給を所定要因によりオンするまでの時間が前記第１の所定時間よりも短いことが所定回数あってから後に、前記第１の電源の電力の供給の所定要因によるオンに基づく時間からの計測を開始することを特徴とする請求項１記載の電源制御装置。
【請求項４】
前記制御手段は、前記第１の電源の電力の供給をオフに切り替えてから前記第１の電源の電力の供給を所定要因によりオンするまでの時間が前記第１の所定時間よりも短いことが、第３の所定時間以内に所定回数あってから後に、前記第１の電源の電力の供給の所定要因によるオンに基づく時間からの計測を開始することを特徴とする請求項１記載の電源制御装置。
【請求項５】
電力の供給のオン／オフを切り替え可能な第１の電源と、
前記第１の電源の電力の供給がオンのときに前記第１の電源の電力を充電され、前記第１の電源の電力の供給をオフのときに前記充電された電力を供給する第２の電源と、
を備える電源制御装置で実行される電源制御方法であって、
前記第１の電源の電力の供給のオン／オフを切り替える切替制御ステップと、
前記第１の電源の電力の供給をオフに切り替えているときに、前記第２の電源の電力で動作すると共に、当該第２の電源の状態を監視すると共に前記第２の電源からの電力量を判断する監視ステップと、を有し、
前記切替制御ステップでは、前記所定要因として、前記監視ステップでの監視の結果、前記第２の電源の電力量が所定量よりも低下していると判断された場合、前記第１の電源の電力の供給をオンに切り替えるように制御し、
また、前記切替制御ステップでは、前記第１の電源の電力の供給を所定要因によりオンし、当該供給のオンに基づく時間から前記第１の電源の電力の供給をオフするように要求されるまでの経過時間が第１の所定時間よりも短い場合、前記第１の電源の電力の供給のオンを継続し、
さらに、前記切替制御ステップでは、前記第１の電源の電力の供給を所定要因によりオフし、当該供給のオフに基づく時間から前記第１の電源の電力の供給をオンするように要求されるまでの経過時間が第２の所定時間よりも短い場合、前記第１の電源の電力の供給のオフを継続する、
ことを特徴とする電源制御方法。
【手続補正２】
【補正対象書類名】明細書
【補正対象項目名】００１０
【補正方法】変更
【補正の内容】
【００１０】
本発明の実施形態によれば、電力の供給のオン／オフを切り替え可能な第１の電源と、前記第１の電源の電力の供給のオン／オフを切り替える制御手段と、前記制御手段が前記第１の電源の電力の供給をオンに切り替えているときに前記第１の電源の電力を充電され、前記制御手段が前記第１の電源の電力の供給をオフに切り替えているときに前記充電された電力を供給する第２の電源と、前記制御手段が前記第１の電源の電力の供給をオフに切り替えているときに、前記第２の電源の電力で動作すると共に、当該第２の電源の状態を監視すると共に前記第２の電源からの電力量を判断する監視手段と、を具備し、前記制御手段は、前記所定要因として、前記監視手段による監視の結果、前記第２の電源の電力量が所定量よりも低下していると判断された場合、前記第１の電源の電力の供給をオンに切り替えるように制御し、また、前記制御手段は、前記第１の電源の電力の供給を所定要因によりオンし、当該供給のオンに基づく時間から前記第１の電源の電力の供給をオフするように要求されるまでの経過時間が第１の所定時間よりも短い場合、前記第１の電源の電力の供給のオンを継続し、さらに、前記制御手段は、前記第１の電源の電力の供給を所定要因によりオフし、当該供給のオフに基づく時間から前記第１の電源の電力の供給をオンするように要求されるまでの経過時間が第２の所定時間よりも短い場合、前記第１の電源の電力の供給のオフを継続する、ことを特徴とする電源制御装置を提供する。
【手続補正３】
【補正対象書類名】明細書
【補正対象項目名】００１１
【補正方法】変更
【補正の内容】
【００１１】
また本発明の実施形態によれば、電力の供給のオン／オフを切り替え可能な第１の電源と、前記第１の電源の電力の供給がオンのときに前記第１の電源の電力を充電され、前記第１の電源の電力の供給をオフのときに前記充電された電力を供給する第２の電源と、を備える電源制御装置で実行される電源制御方法であって、前記第１の電源の電力の供給のオン／オフを切り替える切替制御ステップと、前記第１の電源の電力の供給をオフに切り替えているときに、前記第２の電源の電力で動作すると共に、当該第２の電源の状態を監視すると共に前記第２の電源からの電力量を判断する監視ステップと、を有し、前記切替制御ステップでは、前記所定要因として、前記監視ステップでの監視の結果、前記第２の電源の電力量が所定量よりも低下していると判断された場合、前記第１の電源の電力の供給をオンに切り替えるように制御し、また、前記切替制御ステップでは、前記第１の電源の電力の供給を所定要因によりオンし、当該供給のオンに基づく時間から前記第１の電源の電力の供給をオフするように要求されるまでの経過時間が第１の所定時間よりも短い場合、前記第１の電源の電力の供給のオンを継続し、さらに、前記切替制御ステップでは、前記第１の電源の電力の供給を所定要因によりオフし、当該供給のオフに基づく時間から前記第１の電源の電力の供給をオンするように要求されるまでの経過時間が第２の所定時間よりも短い場合、前記第１の電源の電力の供給のオフを継続する、ことを特徴とする電源制御方法を提供する。